(57)【要約】【課題】画像の実際の色分布に沿って選択されたカラーパッチを有するカラーチャートを生成することのできるカラーチャート作成装置等を提供する。【解決手段】二次元以上で表現される色を含んで構成される画像において、各次元に複数設けられた所定点の組み合わせで表現される各色の画素数を計数して、所定点の組み合わせのうち、計数した画素数がより多い組み合わせで表現される色をカラーパッチの色として選択する。【選択図】図４
2015027016.tif 000002
【特許請求の範囲】
【請求項１】
複数のカラーパッチを含むカラーチャートを作成するカラーチャート作成装置であって、
二次元以上で表現される色を含んで構成される画像を取得する画像取得手段と、
前記画像取得手段により取得された画像において、各次元に複数設けられた所定点の組み合わせで表現される各色の画素数を計数する画素数計数手段と、
前記所定点の組み合わせのうち、前記画素数計数手段により計数された画素数がより多い組み合わせで表現される色を前記カラーパッチの色として選択する色選択手段と、
を備えることを特徴とするカラーチャート作成装置。
【請求項２】
請求項１に記載のカラーチャート作成装置であって、
前記色選択手段は、前記所定点の組み合わせのうち、少なくとも前記各次元の端点又は中点に対応する所定点のみで構成される組み合わせで表現される色を前記カラーパッチの色として更に選択することを特徴とするカラーチャート作成装置。
【請求項３】
請求項１又は２に記載のカラーチャート作成装置であって、
前記各次元がそれぞれＣ（シアン）、Ｍ（マゼンダ）、Ｙ（イエロー）に対応することを特徴とするカラーチャート作成装置。
【請求項４】
請求項１乃至３の何れか一項に記載のカラーチャート作成装置であって、
カラーチャートに含ませるカラーパッチの数を取得するパッチ数取得手段を更に備え、
前記色選択手段は、前記パッチ数取得手段が取得したカラーパッチの数だけ、色を選択することを特徴とするカラーチャート作成装置。
【請求項５】
請求項１乃至４の何れか一項に記載のカラーチャート作成装置であって、
前記色選択手段により選択された色のカラーパッチを含むカラーチャートのイメージデータを作成するイメージデータ作成手段、
を更に備えることを特徴とするカラーチャート作成装置。
【請求項６】
請求項５に記載のカラーチャート作成装置により作成されたイメージデータに基づいて出力されたカラーチャートにおける各カラーパッチの測色データを取得する測色データ取得手段と、
前記測色データ取得手段により取得された測色データに基づいてプロファイルを作成するプロファイル作成手段と、
を備えることを特徴とするプロファイル作成装置。
【請求項７】
プロファイル作成のために測色されるカラーパッチを含むカラーチャートを作成するカラーチャート作成装置によるカラーチャート作成方法であって、
二次元以上で表現される色を含んで構成される画像を取得する画像取得工程と、
前記画像取得工程により取得された画像において、各次元に複数設けられた所定点の組み合わせで表現される各色の画素数を計数する画素数計数工程と、
前記所定点の組み合わせのうち、前記画素数計数工程により計数された画素数がより多い組み合わせで表現される色を前記カラーパッチの色として選択する色選択工程と、
を含むことを特徴とするカラーチャート作成方法。
【請求項８】
プロファイル作成のために測色されるカラーパッチを含むカラーチャートを作成するカラーチャート作成装置に含まれるコンピュータを、
二次元以上で表現される色を含んで構成される画像を取得する画像取得手段、
前記画像取得手段により取得された画像において、各次元に複数設けられた所定点の組み合わせで表現される各色の画素数を計数する画素数計数手段、
前記所定点の組み合わせのうち、前記画素数計数手段により計数された画素数がより多い組み合わせで表現される色を前記カラーパッチの色として選択する色選択手段、
として機能させることを特徴とするカラーチャート作成プログラム。
【発明の詳細な説明】
【技術分野】
【０００１】
本発明は、カラーチャートを作成する作成装置等に関する。
【背景技術】
【０００２】
従来、対象とする印刷物から測色値を元にしたプロファイルを作成し、プロファイルを活用することで、印刷物とのカラーマッチング精度が高いデジタル出力を実現する技術が普及している。ここでプロファイルとは、国際規格ISO 15076-1:2010（ Image technology colour management -- Architecture, profile format and data structure -- Part 1: Based on ICC.1:2010）に準拠したプロファイルのことである。通常、プロファイルを作成するためには色空間全体から偏りなく選んだ各色の階調値を組み合わせる必要があり、測色用に用意するカラーパッチの数は数百個程度となる。
【０００３】
一方で、図１に示すような建材等の画像のように限られた色のみを使う絵柄において、カラーパッチの数を減らしても色再現の精度が保たれるプロファイルを作成する技術が開示されている（特許文献１）。この技術は、Ｃ（シアン）Ｍ（マゼンダ）Ｙ（イエロー）Ｋ（墨）の色毎に、横軸に階調値、縦軸に画像に使用される使用頻度をとったヒストグラム（特許文献１の図２）を作成し、ヒストグラムを参照して、画像に使用される頻度に応じてインキの各色の階調値の組み合わせからカラーパッチの色を選択する。そして、カラーパッチを印刷して作成したカラーチャートを測色し、その測色データに基づいてプロファイルを作成する。
【先行技術文献】
【特許文献】
【０００４】
【特許文献１】特開２００８−１８７２１４号公報
【発明の概要】
【発明が解決しようとする課題】
【０００５】
しかしながら、特許文献１の技術は、各色の一次元のヒストグラム毎に分布が多い階調からサンプリングポイントを取得し、各色のサンプリングポイントの中から一定の頻度を超える階調のみを選択することを特徴とするため、三次元の色空間として見たときに実際の色分布とは異なる階調が選択され、カラーマッチング精度が低くなるという問題がある。
【０００６】
本発明は、こうした問題点に鑑みてなされたもので、その目的はカラーパッチの数を減らしても色再現の精度が保たれるプロファイルを作成するに当たり、画像の実際の色分布に沿って選択されたカラーパッチを有するカラーチャートを作成することのできるカラーチャート作成装置等を提供することである。
【課題を解決するための手段】
【０００７】
上記課題を解決するため、本発明は、複数のカラーパッチを含むカラーチャートを作成するカラーチャート作成装置であって、二次元以上で表現される色を含んで構成される画像を取得する画像取得手段と、前記画像取得手段により取得された画像において、各次元に複数設けられた所定点の組み合わせで表現される各色の画素数を計数する画素数計数手段と、前記所定点の組み合わせのうち、前記画素数計数手段により計数された画素数がより多い組み合わせで表現される色を前記カラーパッチの色として選択する色選択手段と、を備えることを特徴とする。
【０００８】
本発明によれば、二次元以上で表現される色分布に沿って選択されたカラーパッチを有するカラーチャートが作成されることから、色再現の精度が保たれたプロファイルを作成することができる。
【０００９】
本発明は、請求項１に記載のカラーチャート作成装置であって、前記色選択手段は、前記所定点の組み合わせのうち、少なくとも前記各次元の端点又は中点に対応する所定点のみで構成される組み合わせで表現される色を前記カラーパッチの色として更に選択することを特徴とする。
【００１０】
本発明によれば、二次元以上で表現される色分布において使用された画素数が多かった色のみならず、各次元の端点又は中点に対応する所定点のみで構成される組み合わせで表現される色もカラーパッチの色として選択するので、当該カラーパッチに基づいて作成したプロファイルの、画素数が多かった色から遠い色の色再現性を向上させることができる。
【００１１】
本発明は、請求項１又は２に記載のカラーチャート作成装置であって、前記各次元がそれぞれＣ（シアン）、Ｍ（マゼンダ）、Ｙ（イエロー）に対応することを特徴とする。
【００１２】
本発明によれば、ＣＭＹ３色の色分布を三次元色空間で立体的に参照してカラーパッチの色を選択するので、当該カラーパッチに基づいて作成したプロファイルのＣＭＹ３色の色再現性を向上させることができる。
【００１３】
本発明は、請求項１乃至３の何れか一項に記載のカラーチャート作成装置であって、カラーチャートに含ませるカラーパッチの数を取得するパッチ数取得手段を更に備え、前記色選択手段は、前記パッチ数取得手段が取得したカラーパッチの数だけ、色を選択することを特徴とする。
【００１４】
本発明によれば、パッチ数取得手段に取得させるカラーパッチの数を適切な数に設定することにより、従来のカラーパッチの数よりも少ないカラーパッチで、色再現の精度が高いプロファイルを作成することが可能なカラーチャートを作成することができる。
【００１５】
本発明は、請求項１乃至４の何れか一項に記載のカラーチャート作成装置であって、前記色選択手段により選択された色のカラーパッチを含むカラーチャートのイメージデータを作成するイメージデータ作成手段、を更に備えることを特徴とする。
【００１６】
本発明によれば、二次元以上で表現される色分布に沿って選択されたカラーパッチを有するカラーチャートのイメージデータを生成することができ、当該イメージデータを出力することにより、カラーチャートを容易に作成することができる。
【００１７】
本発明は、請求項５に記載のカラーチャート作成装置により作成されたイメージデータに基づいて出力されたカラーチャートにおける各カラーパッチの測色データを取得する測色データ取得手段と、前記測色データ取得手段により取得された測色データに基づいてプロファイルを作成するプロファイル作成手段と、を備えることを特徴とする。
【００１８】
本発明によれば、二次元以上で表現される色分布に沿って選択されたカラーパッチを有するカラーチャートを測色して得られた測色データに基づいて、色再現性の高いプロファイルを作成することができる。
【００１９】
本発明は、プロファイル作成のために測色されるカラーパッチを含むカラーチャートを作成するカラーチャート作成装置によるカラーチャート作成方法であって、二次元以上で表現される色を含んで構成される画像を取得する画像取得工程と、前記画像取得工程により取得された画像において、各次元に複数設けられた所定点の組み合わせで表現される各色の画素数を計数する画素数計数工程と、前記所定点の組み合わせのうち、前記画素数計数工程により計数された画素数がより多い組み合わせで表現される色を前記カラーパッチの色として選択する色選択工程と、を含むことを特徴とする。
【００２０】
本発明は、プロファイル作成のために測色されるカラーパッチを含むカラーチャートを作成するカラーチャート作成装置に含まれるコンピュータを、二次元以上で表現される色を含んで構成される画像を取得する画像取得手段、前記画像取得手段により取得された画像において、各次元に複数設けられた所定点の組み合わせで表現される各色の画素数を計数する画素数計数手段、前記所定点の組み合わせのうち、前記画素数計数手段により計数された画素数がより多い組み合わせで表現される色を前記カラーパッチの色として選択する色選択手段、として機能させることを特徴とする。
【発明の効果】
【００２１】
本発明によれば、二次元以上で表現される色分布に沿って選択されたカラーパッチを有するカラーチャートが作成されることから、色再現の精度が保たれたプロファイルを作成することができる。
【図面の簡単な説明】
【００２２】
【図１】建材の画像の一例を示す図である。
【図２】本実施形態に係るプロファイル作成システムの一例を示す概要構成図である。
【図３】本実施形態に係るプロファイル作成装置１の概要構成図である。
【図４】本実施形態に係るシアン、マゼンダ、イエローの多次元分析の一例を示す図である。
【図５】本実施形態に係るプロファイル作成装置１によるカラーチャート作成処理を示すフローチャートである。
【図６】本実施形態に係るプロファイル作成装置１によるプロファイル作成処理を示すフローチャートである。
【００２３】
［１．プロファイル作成システムの構成］
図２に示すようにプロファイル作成システムＳは、プロファイル作成装置１と、測色器２と、印刷機Ｐと、プリンタＰＴを含んで構成されている。プリンタＰＴとしては、インクジェット方式、電子写真方式、熱転写方式などを使用可能である。プロファイル作成装置１は、ネットワークＮＷを介して印刷機Ｐ及びプリンタＰＴと接続されている。ここで印刷機Ｐは「版」を必要とする印刷機である。
【００２４】
プロファイル作成装置１は、色分布が偏った画像に関する色再現性の高いプロファイルを作成する。そのために、プロファイル作成装置１は、画像を表す画像情報のＣＭＹの組み合わせを三次元色空間で立体的に参照し、ＣＭＹの組み合わせと、色空間に偏りがないように特定のＣＭＹの組み合わせとにより、少ないカラーパッチで構成されるカラーチャートのイメージデータを作成する。印刷機Ｐはプロファイル作成装置１が作成したカラーチャートのイメージデータを出力する。測色器２は、印刷機Ｐにより出力されたカラーチャートを構成する各カラーパッチを測色し、測色データをプロファイル作成装置１に出力する。プロファイル作成装置１は、測色器２が出力した測色データを元に従来公知の方法によりＩＣＣプロファイルを作成する。ＩＣＣプロファイルはプリンタＰＴでの印刷時に利用される。
【００２５】
［２．プロファイル作成装置の構成］
次に、プロファイル作成装置１の構成について説明する。図３に示すように、プロファイル作成装置１は、制御部１１、記憶部１２、インターフェース部１３、表示部１４、及び操作部１５を備えている。
【００２６】
記憶部１２は、例えば、ＨＤＤ（Hard disk drive）等により構成されており、オペレーティングシステムや、アプリケーションプログラム等の各種プログラムを記憶する。特に、本実施形態の記憶部１２には、カラーチャートを作成するためのアプリケーションプログラム（以下、「カラーチャート作成アプリ」という。）、測色データに基づいてＩＣＣプロファイルを作成するためのアプリケーションプログラム（以下、「プロファイル作成アプリ」という。）など、各種機能を実現するためのアプリケーションプログラムが記憶されている。なお、各種プログラムは、例えば、他のサーバ装置等からネットワークを介して取得されるようにしても良いし、記録媒体に記録されて外付けドライブ装置を介して読み込まれるようにしても良い。
【００２７】
また、記憶部１２は、色分布が偏った印刷対象の画像を表す画像情報（例えば、１００×１００ピクセル）を記憶する。画像情報は、プログラムと同様に、他のサーバ装置等からネットワークを介して取得されるようにしても良いし、記録媒体に記録されて外付けドライブ装置を介して読み込まれるようにしても良い。
【００２８】
インターフェース部１３は他の装置や機器との間で送受信されるデータの窓口の役割を果たす。例えば、インターフェース部１３は、測色器２から得られた測色データを受信する際のデータ変換等を行う。測色器２は、印刷機Ｐで印刷されたカラーチャートを測色し、L*a*b*値を出力する計測機器である。
【００２９】
表示部１４は、例えば、液晶ディスプレイ等により構成されており、オペレータがプロファイル作成装置１を操作する際の操作画面等を表示する。また、操作部１５は、例えば、キーボードやマウス等により構成されており、オペレータの操作を受け付け、操作内容を示す操作信号を制御部１１に送信する。
【００３０】
制御部１１は、演算機能を有するＣＰＵ（Central Processing Unit）、ＲＯＭ（Read Only Memory）、作業用のＲＡＭ（Random Access Memory）、及び図示しない発振回路等を備えて構成されている。そして、ＣＰＵが、ＲＯＭや記憶部１２に記憶されたカラーチャート作成アプリ、プロファイル作成アプリ等の各種プログラムを読み出して実行することにより、各種機能を実現する。なお、制御部１１或いはＣＰＵは、「画像取得手段」、「画素数計数手段」、「色選択手段」、「パッチ数取得手段」、「イメージデータ作成手段」、「測色データ取得手段」及び「プロファイル作成手段」の一例である。
【００３１】
例えば、制御部１１は、１００個のカラーパッチを含むカラーチャートを作成するに当たり、記憶部１２に記憶された複数枚分の画像情報を取得し、これらの画像情報に使用されているＣＭＹの組み合わせについて三次元色空間で色分布の分析と使用頻度の計数を行う。このとき、制御部１１は後述する多次元分析表を作成する。制御部１１は、多次元分析表を参照して、ＣＭＹの三次元色空間で使用頻度が上位８３組の色の組み合わせと、色分布に偏りがないように特定のＣＭＹの組み合わせ（例えば、ＣＭＹがそれぞれ０％、５０％、１００％の組み合わせ（２７組））を選択する。これにより、色再現や階調性が良好なプロファイルを作成可能なカラーチャートのイメージデータを作成する。
【００３２】
なお、ここでは、使用頻度が上位８３組の色の組み合わせと、ＣＭＹがそれぞれ０％、５０％、１００％である２７組の組み合わせにより、１００個のカラーパッチを有するカラーチャートを作成することとしているが、それぞれの組み合わせの数はオペレータが指定することができる。また、カラーチャートにおいて使用頻度が高い色の組み合わせに基づくカラーパッチを「高頻度パッチ」と呼び、色分布に偏りがないように選択されたＣＭＹの組み合わせに基づくカラーパッチを「保障パッチ」と呼ぶ。高頻度パッチのみで構成されるカラーチャートによっても色再現や階調性が良好なプロファイルを作成することができるが、高頻度パッチの色とかけ離れた色を含む画像を印刷する場合に、色再現性や階調性を損なうおそれがある。そこで、本実施形態では、保障パッチをカラーチャートに含ませることにより、高頻度パッチの色とかけ離れた色を含む画像を印刷する場合の色再現性や階調性を保障している。
【００３３】
次に、図４を用いて、ＣＭＹの多次元分析表について説明する。図４（Ａ）はＣが０％である場合の色分布を示し、図４（Ｂ）はＣが５０％である場合の色分布を示し、図４（Ｃ）はＣが１００％である場合の色分布を示している。本実施形態では、ＣＭＹの多次元分析に当たって、ＣＭＹ各色の網点面積率が０％、１５％、３３％、５０％、６７％、８５％、１００％の何れかである色の組み合わせについて、画像情報における使用頻度（画素数）を計数している。図４では、Ｃが０％、５０％、１００％の多次元分析表を示しているが、Ｃが１５％、３３％、６７％、８５％の多次元分析表（図示しない）も作成される。図４の例では、例えば、Ｃ２の色で示したセルに対応するＣＭＹの組み合わせが高頻度パッチの色として選択され、Ｃ３の色で示したセルに対応するＣＭＹの組み合わせが保障パッチの色として選択される。
【００３４】
［３．プロファイル作成装置の動作例］
［３．１．カラーチャート作成処理］
次に、図５を用いて、プロファイル作成装置１の制御部１１によるカラーチャート作成処理について説明する。図５は、制御部１１よるカラーチャート作成処理のフローチャートである。なお、制御部１１がカラーチャート作成処理を実行する前までに、オペレータが、カラーチャートに占める高頻度パッチの数と保障パッチの数を指定するものとする。このとき、オペレータは、保障パッチの数としてｎの３乗個（ｎ＝２以上の自然数）を指定するのが好ましい。例えば、総パッチ数が１００個程度のカラーチャートを作成する場合であれば、高頻度パッチの数とのバランスを考慮して、保障パッチの数を２７個に指定するのが好適である。また、オペレータが保障パッチの数としてｎの３乗個以外の数を指定できないように保障パッチの数を指定する際のユーザインターフェースを作り込んでおくことが好ましい。
【００３５】
まず、制御部１１は、画像を取得する（ステップＳ１０１）。このとき、制御部１１は色分布が偏った画像の画像情報を取得する。なお、同種の画像が複数ある場合にそれらの画像を取得することで、それらの画像に対する汎用性の高いプロファイルを作成することができる。
【００３６】
次に、制御部１１は、ステップＳ１０１の処理で取得した画像中のＣＭＹ値の色分布を分析し、多次元分析表のセルに対応する画素数に応じてセルの値を加算する（ステップＳ１０２）。具体的には、制御部１１は、画像を構成する各画素についてＣＭＹ値を取得し、多次元分析表に該当のセルが存在するか否かを確認し、存在している場合にそのセルの値を加算する。なお、ステップＳ１０１の処理で複数の画像を取得した場合には、各画像について同様の処理を行い、複数画像分の値を合算した多次元分析表を作成する。
【００３７】
次に、制御部１１は、予めオペレータにより指定された高頻度パッチの数と保障パッチの数を取得する（ステップＳ１０３）。
【００３８】
次に、制御部１１は、ステップＳ１０２の作成した多次元分析表を参照して、使用頻度の高いＣＭＹの組み合わせを、使用頻度の高い方から、ステップＳ１０３の処理で取得した高頻度パッチの数分だけ選択する（ステップＳ１０４）。
【００３９】
次に、制御部１１は、ステップＳ１０２の作成した多次元分析表を参照して、ステップＳ１０３の処理で取得した保障パッチの数分だけ、ＣＭＹの組み合わせを選択する（ステップＳ１０５）。なお、制御部１１はｎに応じてＣＭＹの組み合わせを選択する。例えば、ｎが２（保障パッチの数が８個）であれば、ＣＭＹがそれぞれ０％、１００％の８組の組み合わせを選択し、ｎが３（保障パッチの数が２７個）であれば、ＣＭＹがそれぞれ０％、５０％、１００％の組み合わせを選択する。
【００４０】
次に、制御部１１は、ステップＳ１０４の処理で取得したＣＭＹの組み合わせと、ステップＳ１０５の処理で取得したＣＭＹの組み合わせをそれぞれカラーパッチの色として決定し、カラーチャートのイメージデータを作成する（ステップＳ１０６）。
【００４１】
次に、制御部１１は、ステップＳ１０６の処理で作成したイメージデータを印刷機Ｐに送信して、カラーチャートを印刷させ（ステップＳ１０７）、カラーチャート作成処理を終了する。
【００４２】
［３．２．プロファイル作成処理］
次に、図６を用いて、プロファイル作成装置１の制御部１１によるプロファイル作成処理について説明する。図６は、制御部１１よるプロファイル作成処理のフローチャートである。なお、制御部１１がプロファイル作成処理を実行する前までに、図５のステップＳ１０７の処理で印刷されたカラーチャートを構成する各カラーパッチが、測色器２により測色されているものとする。
【００４３】
まず、制御部１１は、測色器２からカラーチャートを構成する各カラーパッチを測色することにより得られた測色データを取得する（ステップＳ２０１）。
【００４４】
次に、制御部１１は、ステップＳ２０１の処理で取得した測色データに基づいて、従来公知の手法によりＩＣＣプロファイルを作成し（ステップＳ２０２）、プロファイル作成処理を終了する。
【００４５】
以上説明したように、本実施形態のプロファイル作成装置１の制御部１１（「画像取得手段」、「画素数計数手段」、「色選択手段」の一例）は、ＣＭＹ３色の軸で表現される色を含んで構成される画像を取得し、当該取得した画像において、ＣＭＹの各軸における網点面積率が０％、１５％、３３％、５０％、６７％、８５％、１００％に対応する点（「所定点」の一例）の組み合わせで表現される色の画素数を計数し、それらの組み合わせのうち、計数した画素数がより多い組み合わせで表現される色をカラーパッチの色として選択する。
【００４６】
したがって、本実施形態のプロファイル作成装置１によれば、ＣＭＹ各色の軸で表現される色分布に沿って選択されたカラーパッチを有するカラーチャートが作成されることから、色再現の精度が保たれたプロファイルを作成することができる。
【００４７】
また、制御部１１は、ＣＭＹの各軸における網点面積率が０％、１５％、３３％、５０％、６７％、８５％、１００％に対応する点の組み合わせのうち、ＣＭＹ各色の網点面積率が０％、５０％、１００％の何れかに対応する点のみで構成される組み合わせで表現される色を保障パッチの色として更に選択する。
【００４８】
したがって、本実施形態のプロファイル作成装置１によれば、ＣＭＹ各色の軸で表現される色分布において使用された画素数が多かった色のみならず、ＣＭＹ各色の０％（「各次元の端点」の一例）、５０％（「各次元の中点」の一例）、１００％（「各次元の端点」の一例）に対応する点のみで構成される組み合わせで表現される色も保障パッチの色として選択するので、当該カラーパッチに基づいて作成したプロファイルの、画素数が多かった色から遠い色の色再現性を向上させることができる。なお、保障パッチを設けないカラーチャートに基づいてプロファイルを作成した場合、高頻度パッチの色からかけ離れた色を含む画像に対して色再現性が低下してしまう。
【００４９】
なお、本実施形態の手法で作成したカラーチャート（高頻度パッチ（８３個）及び保障パッチ（２７個）を含むカラーチャート）を用いて作成したＩＣＣプロファイルによれば、プリンタＰＴで目標とする絵柄の印刷シミュレーションした際のマッチング精度は、ΔＥ＝２．０〜２．５（ΔＥ：色差）であった。
【００５０】
＜４．変形例＞
以上、本発明の好適な実施形態について説明したが、本発明は上記実施形態に限定されず、種々の変形が可能である。
【００５１】
上記実施形態では、ＣＭＹ三色で構成される３次元の色空間について説明したが、３軸を他の基準に従って規定した色空間についても本発明を適用することができる。例えば、Ｌ*ａ*ｂ*、ＸＹＺといった所謂表色系や特色３色を基準に３軸をとることもできる。また、４次元の色についても本発明の考え方を適用することができる。例えば、ＣＭＹＫ四色の組み合わせについて４軸を適用することもできる。なお、本発明は、２次元以上の色の組み合わせについて適用することができる。
【符号の説明】
【００５２】
１  プロファイル作成装置
１１  制御部
１２  記憶部
１３  インターフェース部
１４  表示部
１５  操作部
２  測色器
Ｓ  プロファイル作成システム
Ｐ  印刷機
ＰＴ  プリンタ
ＮＷ  ネットワーク
【図２】
2015027016.tif 000003
【図３】
2015027016.tif 000004
【図４】
2015027016.tif 000005
【図５】
2015027016.tif 000006
【図６】
2015027016.tif 000007
【図１】
2015027016.tif 000008